(57)【特許請求の範囲】
【請求項１】
ブラシ状もしくは櫛状のブリスルの列と超音波振動を行う振動面とがグリップを有している本体の表面に配されたヘアセット器であって、上記本体における平行に並ぶブリスルの列間に上記振動面が配設されているとともに、上記振動面に毛髪を押し付けるための押さえ板を備えており、上記押さえ板は、本体の端部に回転自在に取り付けられて、毛髪を上記振動面に押しつける位置と、本体における振動面及びブリスルが配された側とは反対側のところに収納される位置との間でほぼ３６０°回転自在となっていることを特徴とする超音波ヘアセット器。
【請求項２】
種類の異なる複数のブリスルが本体に対して選択的に着脱自在となっていることを特徴とする請求項１記載の超音波ヘアセット器。
【請求項３】
水、トリートメント剤、セット剤等のヘアセット補助剤を本体表面に吐出させる補助剤吐出部を本体が備えていることを特徴とする請求項１または２記載の超音波ヘアセット器。
【請求項４】
スチームもしくは帯電微粒子を発生させる発生機構を本体が備えていることを特徴とする請求項１〜３のいずれか１項に記載の超音波ヘアセット器。
【請求項５】
押さえ板は加熱される熱板で形成されていることを特徴とする請求項１〜４のいずれか１項に記載の超音波ヘアセット器。
【発明の詳細な説明】
【技術分野】
【０００１】
本発明は、ヘアセット器、殊に超音波で毛髪をストレートにセットする超音波ヘアセット器に関するものである。
【背景技術】
【０００２】
超音波振動を行う振動面に毛髪を接触させることで毛髪のセットを行うことができるようにしたヘアセット器が提案されているが、このセットに際しては、上記振動面と毛髪との間に所要の接触圧を加えておかないと、セットの効果を得ることができない。
【０００３】
この時、ヘアにカールを付ける場合には、超音波振動を行う振動部に毛髪を巻き付けることによって上記接触圧を確保することができるが、ストレートに毛髪をセットするものにおいては毛髪に振動部を接触させるだけでは上記接触圧を確保することができないために、超音波振動を行う振動面に毛髪を押しつける押さえ板を設けて、この押さえ板と上記振動面との間に毛髪を挟みつけ、この状態でヘアセット器を毛髪に沿って動かすことで、毛髪のほぼ全長に対して超音波振動を付与するものとなっていた。
【０００４】
しかし、毛髪を挟むという手間が必要であるために、どうしてもヘアセットに要する時間が長くなる上に、振動面と押さえ板との間に適切に毛髪を位置させること自体が面倒な操作である。
【特許文献１】特開２００１−１２０３３５公報
【発明の開示】
【発明が解決しようとする課題】
【０００５】
本発明は上記の従来の問題点に鑑みて発明したものであって、超音波による毛髪のストレートセットを簡便に行うことができる上に、毛髪先端部のストレートセットも容易である超音波ヘアセット器を提供することを課題とするものである。
【課題を解決するための手段】
【０００６】
上記課題を解決するために本発明に係るヘアセット器は、ブラシ状もしくは櫛状のブリスルの列と超音波振動を行う振動面とがグリップを有している本体の表面に配されたヘアセット器であって、上記本体における平行に並ぶブリスルの列間に上記振動面が配設されているとともに、上記振動面に毛髪を押し付けるための押さえ板を備えており、上記押さえ板は、本体の端部に回動自在に取り付けられて、毛髪を上記振動面に押しつける位置と、本体における振動面及びブリスルが配された側とは反対側のところに収納される位置との間でほぼ３６０°回動自在となっていることに特徴を有している。押さえ板を収納した状態で毛髪を梳かす時、ブリスルの列との間の摩擦抵抗によってブリスルの列間で直線を保つブリスルに超音波の振動面が接触するために、接触圧を高くすることができるものであり、毛髪先端を手で持って引っ張りながら梳かす動作を行うならば、更に接触圧を高くすることができる。そして、毛髪の先端部については押さえ板を利用することで接触圧を維持することができる。
【０００７】
この時、種類の異なる複数のブリスルが本体に対して選択的に着脱自在となっていてもよい。髪質やセット強度、セットしたい髪型などに合わせたブリスルの使用が可能となる。
【０００８】
水、トリートメント剤、セット剤等のヘアセット補助剤を本体表面に吐出させる補助剤吐出部を本体が備えていたり、スチームもしくは帯電微粒子を発生させる発生機構を本体が備えているものでは、これらによるヘアセットやヘアトリートメント効果も期待することができる。
【０００９】
そして、押さえ板は加熱される熱板で形成されていてもよい。熱板の熱によるヘアセット効果も期待することができる。
【発明の効果】
【００１０】
本発明は、押さえ板を収納した状態では、毛髪を梳かすという操作を行うだけで超音波振動を行う振動面と毛髪との間の接触圧を確保することができるものであり、手で毛髪に張力を加えた状態で毛髪を梳かすならば更に接触圧を高くすることができるために、毛髪を梳かすという操作だけで良いにもかかわらず、超音波によるヘアセット効果を期待することができる。そして押さえ板を併用する時には、毛髪を梳かすだけでは接触圧を保持することができない毛髪先端部に対し、接触圧を保持してセットを行うことができる。
【発明を実施するための最良の形態】
【００１１】
以下、本発明を添付図面に示す実施形態に基いて説明すると、図１は本発明に係るヘアセット器１の基本構成を示すもので、一端側がグリップ１０となっている棒状（筒状）の本体１の他端側の一側面にはブラシ状もしくは櫛状のブリスル１１の列が複数設けられているとともに、平行に並んでいるブリスル１１の列間の中央には超音波振動する振動面２１が配設されている。この振動面２１は超音波振動子の振動を増幅するとともに振動範囲を広げる超音波ホーンの表面として形成されたもので、ブリスル１１の根元よりも本体１表面から突出したところに振動面２１が位置している。
【００１２】
そして上記本体１のグリップ１０側の端部には補助ハンドル３０が回動自在に連結されており、該補助ハンドル３０の先端には押さえ板３が取り付けられている。この押さえ板３は、通常時は図２(a)に示すように、本体１におけるブリスル１１及び振動面２１が配された側とは反対側のところに収納されており、この状態で超音波ヘアセットを行う時は、図２(b)に示すように、ブリスル１１で毛髪を梳かすだけでよい。２つのブリスル１１の列間においてほぼ直線を保つことになる毛髪は、ブリスル１１と毛髪との間の摩擦抵抗により張力がかかった状態にあるために、振動面２１に対して接触圧を有した状態で接触するものであり、特に、毛髪をストレートにする時は、通常毛髪の先端を手でつまんで毛髪に張力を与えた状態で梳かす動作を行うために、更に接触圧が高くなっており、このために超音波振動を毛髪に与えることによるストレートヘアセットが可能となっている。
【００１３】
一方、毛髪の先端については、ブリスル１１で梳かすことで張力を毛髪に与えることが困難であるとともに、手で毛髪の先端を摘んで引っ張ることもできないことから、この時には図３に示すように、補助ハンドル３０及び押さえ板３をほぼ３６０°回転させて、押さえ板３で毛髪の先端部を振動面２１に押さえつければよい。
【００１４】
上記押さえ板３は、電気的に加熱される熱板で形成しておくと、超音波振動に加えて熱板２２の熱によるヘアセット作用も得ることができる。図４に示すように、本体１のブリスル１１の列と振動面２１との間に熱板２２を配設してもよい。この場合、押さえ板３は振動面２１に対してだけでなく、熱板２２に対しても毛髪を押さえつけるものとなっていることが好ましい。
【００１５】
図５は、超音波振動を行う振動面２１が挿通されることになる開口１６を中央に設けた枠体１５ａ，１５ｂに夫々種類の異なる複数のブリスル１１を配設し、これら枠体１５ａ，１５ｂを本体１に対して選択的に取り付けることができるようにしたものを示している。髪質やセット強度、セットしたい髪型などに合わせたブリスル１１を使用することができる。本体１から取り外した枠体１５ａ，１５ｂを図５(b)に示すように押さえ板３側に装着することができるようにしておいてもよい。
【００１６】
ヘアセットにあたっては、水、トリートメント剤、セット剤等のヘアセット補助剤を用いることが多々あるが、図６に示すようにヘアセット補助剤を入れておくタンク部１８を本体１に設けるとともに、タンク部１８から補助剤を滲出させるための吐出孔１９をブリスル１１の根元付近に設けておくと、補助剤を毛髪に均一に塗布することができるために、ヘアセットあるいはヘアトリートメント機能が向上する。
【００１７】
図７に示すように、スチームもしくは静電霧化で帯電微粒子水を発生させる発生機構４を本体１に設けたならば、スチームあるいは帯電微粒子水によるヘアセットやヘアトリートメント効果も期待することができる。
【００１８】
上記の各実施例では、押さえ板３（と補助ハンドル３０）を本体１に対して回動させることで、振動面２１に押さえ板３が対向する位置と、振動面２１から押さえ板３が退去した状態とを得られるようにしたが、押さえ板３を備えた補助ハンドル３０を本体１に対して着脱自在としてもよく、また補助ハンドル３０内にスライド収納してしまうことができるようにしてもよい。要は押さえ板３を使用せずにヘアセットを行う時には、ブリスル１１で毛髪を梳かしつつ超音波振動を毛髪に付与するのに邪魔にならない位置に押さえ板３を位置させることができるものであれば、どのような構成のものであってもよい。
【図面の簡単な説明】
【００１９】
【図１】本発明の実施の形態の一例を示す概略斜視図である。
【図２】(a)は一使用状態の斜視図、(b)は使用状態を示す説明図である。
【図３】(a)は他の使用状態の斜視図、(b)は使用状態を示す説明図である。
【図４】他の例の破断斜視図である。
【図５】(a)(b)は共に別の例の概略斜視図である。
【図６】更に別の例の概略斜視図である。
【図７】他例の概略斜視図である。
【符号の説明】
【００２０】
１  本体
３  押さえ板
１１  ブリスル
２１  振動面
【図１】
0004561564.tif 000002
【図２】
0004561564.tif 000003
【図３】
0004561564.tif 000004
【図４】
0004561564.tif 000005
【図５】
0004561564.tif 000006
【図６】
0004561564.tif 000007
【図７】
0004561564.tif 000008